(57)【要約】      （修正有）【課題】傘部及び傘支え部に、雨よけ日よけ等の機能と傘骨の機能を合わせ持たせ、傘の構造を単純化する。【解決手段】ろくろ部４を摺動自在に挿通した軸柄３の上部に傘部１を取り付け、前記ろくろ部と前記傘部との間に前記ろくろ部の移動により前記傘部を開閉自在に支持する傘支え部２を備えた傘において、前記傘部と前記傘支え部は前記軸柄を中心とする放射方向の蛇腹状シート素材から構成している。【選択図】図１
0003131197.tif 000002
【実用新案登録請求の範囲】
【請求項１】
ろくろ部を摺動自在に挿通した軸柄の上部に傘部を取り付け、前記ろくろ部と前記傘部との間に前記ろくろ部の移動により前記傘部を開閉自在に支持する傘支え部を備えた傘において、前記傘部と前記傘支え部は前記軸柄を中心とする放射方向の蛇腹状シート素材からなることを特徴とする傘。
【請求項２】
折り曲げ自在とした糸状またはシート状短片素材を用いて前記軸柄上部に前記傘部を接着し、前記ろくろ部に同じく糸状またはシート状短片素材を用いて前記傘支え部を接着し、さらに前記傘部と前記傘支え部間において糸状またはシート状短片素材を用いて接着することにより前記傘部、前記傘支え部及び前記ろくろ部が連動して動くことができるようにし、傘の開時には、前記ろくろ部を前記軸柄上部側に摺動させ前記傘部の蛇腹が伸延しない様、前記軸柄に伸延防止板を設け、前記ろくろ部に組み込んだろくろ部固定用板を前記軸柄上部に設けた溝に摺動挿入することにより前記傘部を開いた状態に固定し、傘の閉時には前記ろくろ部固定用板を前記軸柄より摺動後退させて前記ろくろ部を前記軸柄下部側に摺動させ前記軸柄下部に設けた溝に前記ろくろ部固定用板を摺動挿入することにより前記傘部を閉じた状態に固定することを特徴とする請求項１に記載の傘。
【考案の詳細な説明】
【技術分野】
【０００１】  本考案は、ろくろ部を摺動自在に挿通した軸柄の上部に傘部を取り付け、前記ろくろ部と前記傘部との間に前記ろくろ部の移動により前記傘部を開閉自在に支持する傘支え部を備えた傘に関するものである。
【背景技術】
【０００２】  雨傘、日傘等において傘は、傘骨格等とそれを被う傘屋根素材により組み立てられ製作されていた。
【考案の開示】
【考案が解決しようとする課題】
【０００３】  雨傘、日傘等の組み立ては多くの部品及び行程を要し、また骨格への傘屋根素材の組み込みを含め時間的、労働的負担である。さらに製作工程が多いことによる経済的負担も大きい。本考案は傘の機能と傘骨格等の機能を一体化することにより傘の部品を少なくして、製作の行程を簡単にすることができる傘を提供する。
【課題を解決するための手段】
【０００４】  請求項１の考案の傘は、ろくろ部を摺動自在に挿通した軸柄の上部に傘部を取り付け、前記ろくろ部と前記傘部との間に前記ろくろ部の移動により前記傘部を開閉自在に支持する傘支え部を備えた傘において、前記傘部と前記傘支え部は前記軸柄を中心とする放射方向の蛇腹状シート素材から構成している。これにより傘の機能と傘骨格の機能を一体化している。【０００５】  請求項２の考案の傘は、折り曲げ自在とした糸状またはシート状短片素材を用いて軸柄上部に傘部を接着し、ろくろ部に同じく糸状またはシート状短片素材を用いて傘支え部を接着し、さらに傘部と傘支え部間において糸状またはシート状短片素材を用いて接着することにより前記傘部、傘支え部及びろくろ部が連動して動くことができるようにし、傘の開時には、ろくろ部を軸柄上部側に摺動させ傘部の蛇腹が伸延しない様、軸柄に伸延防止板を設け、ろくろ部に組み込んだろくろ部固定用板を軸柄上部に設けた溝に摺動挿入することにより傘部を開いた状態に固定し、傘の閉時には前記ろくろ部固定用板を軸柄より摺動後退させてろくろ部を軸柄下部側に摺動させ軸柄下部に設けた溝に前記ろくろ部固定用板を摺動挿入することにより傘部を閉じた状態に固定している。
【考案の効果】
【０００６】  請求項１の考案によれば、シート状素材製蛇腹傘は傘の構造が単純になる為、傘の部品が少なくてすみ、又、製作工程が簡単になり時間的、労働的、経済的負担が少なくなる。さらに、一素材のみにて傘を製作することが可能な為、傘の耐用期間終了後の処理が容易となり、又、素材の再利用も可能となる。【０００７】  請求項２の考案によれば、折り曲げ自在とした糸状またはシート状短片素材を用いて軸柄上部に傘部を接着し、ろくろ部に同じく糸状またはシート状短片素材を用いて傘支え部を接着し、さらに傘部と傘支え部間において糸状またはシート状短片素材を用いて接着することにより前記傘部、傘支え部及びろくろ部が連動して動くことができるようにし、傘の開時には、ろくろ部を軸柄上部側に摺動させ傘部の蛇腹が伸延しない様、軸柄に伸延防止板を設け、ろくろ部に組み込んだろくろ部固定用板を軸柄上部に設けた溝に摺動挿入することにより傘部を開いた状態に固定し、傘の閉時には前記ろくろ部固定用板を軸柄より摺動後退させてろくろ部を軸柄下部側に摺動させ軸柄下部に設けた溝に前記ろくろ部固定用板を摺動挿入することにより傘部を閉じた状態に固定することができる。
【考案を実施するための最良の形態】
【０００８】  シート状素材を軸柄を中心とした放射方向に蛇腹折りし傘部とする。前記傘部を支えるシート状素材を軸柄を中心とした放射方向に蛇腹折りした傘支え部が傘部を支える位置にて連結し、さらに軸柄上を摺動自在に挿通したろくろ部と連結して摺動することにより傘部と互いに重なり合う状態で可動し、傘を開閉することができ傘の機能を可能とする。さらに開閉時には、ろくろ部に設けたろくろ部を固定する為の摺動可能なろくろ部固定板を傘部開時位置及び傘部閉時位置において、軸柄上に設けた溝へ挿入又は後退させることにより傘部の開閉を固定できる。又、傘部開閉時において軸柄上部に設けた、ろくろ部停止板により傘部の蛇腹は伸延しない。
【実施例】
【０００９】  以下、添付図面に従って一実施例を説明する。１はシート状素材を、軸柄を中心とした放射方向に蛇腹状に加工した傘部で、２は前記傘部１を支える為シート状素材を軸柄を中心とした放射方向に蛇腹状に加工した傘支え部である。３は傘の軸柄、４は軸柄３上を摺動し傘支え部２と共に傘部１を開閉する為のろくろ部である。傘部１は傘支え部２と連動可動し、又傘支え部２はろくろ部４と連動可動し、ろくろ部４が軸柄３上を移動することにより傘支え部２が可動して傘部１を開閉し、ろくろ部４に設けたろくろ部固定板４ｃを摺動して軸柄３に設けた上部固定用溝３ｂ及び下部固定用溝３ｃへ挿入、後退させて傘１を開位置に固定し、又閉位置に固定することにより傘としての機能を持つ。【００１０】  シート状素材の具体的例としては紙、油紙、成型した樹脂製フィルム、布、樹脂加工した紙、布、木材、炭素繊維、金属などが好ましい。【００１１】  傘部１と傘部支え部２は傘部１の蛇腹折りした谷部１ａと傘支え部２の蛇腹折りした山部２ａが折り曲げに強い糸状又はシート状短片５により接着され、傘の開時には傘支え部２がろくろ部４と共に押し開き、ろくろ部４のろくろ部固定板４ｃを軸柄３の上部固定用溝３ｂへ摺動挿入することにより傘を開位置に固定し、又傘閉時には傘支え部２がろくろ部４の摺動と共に傘部１と互いに重なり合って閉じて収納し、ろくろ部４のろくろ部固定板４ｃを軸柄３の下部固定用溝３ｃへ摺動挿入することにより傘を閉位置に固定する。【００１２】  傘支え部２の下端は、ろくろ部４と糸状又はシート状短片４ｅにて接続されてろくろ部４へ固定する為ろくろ部リング状固定板４ａ、４ｂにて糸状又はシート状短片４ｅを挟んで接着し、さらに、ろくろ部４へ接着して固定する。【００１３】  傘部１の中心側端と軸柄３とは糸状又はシート状短片３ｆにて接続され軸柄３の上端へ固定するため傘部リング状固定板３ｄ、３ｅにて挟んで接着し、さらに軸柄３へ傘部リング状固定板３ｄ，３ｅを接着し固定する。傘の開閉時には折り曲げに強い糸状又はシート状短片３ｆにより間接的に軸柄３に接着されている為、自在に可動することができる。【００１４】  糸状又はシート状短片５、３ｆ、４ｅ素材の具体的例としては紙、布、天然繊維、樹脂加工した天然繊維、炭素繊維、金属、ナイロン、ポリエステルなどの化学繊維、プラスチックなどの樹脂素材が好ましい。【００１５】  本考案の一実施例は上述の如き構成からなるものであるから軸柄３上において、ろくろ部４を軸柄上部側に摺動し傘支え部２を押し開き、さらに傘支え部２が傘部１を押し開き、ろくろ部４の上端が軸柄上部に設けたろくろ部伸延防止板３ａに当るまで摺動し傘部１の蛇腹を伸延しない位置にて止め、ろくろ部固定板４ｃを摺動し、軸柄上部に設けた上部固定用溝３ｂへ挿入してろくろ部４を固定することにより傘部１が開の状態で固定できる。又、傘を閉じる場合は、ろくろ部固定板４ｃを上部固定用溝３ｂより後退してろくろ部４を軸柄下部側に摺動し傘部１と傘支え部２が互いに重なり合って収納されて閉じ、軸柄３の下部に設けた下部固定溝３ｃへろくろ部固定板４ｃを挿入することによりろくろ部４を固定し、傘部１が閉じて傘としての機能を持つことができる。さら���は、各種特性を持ったシート状素材及び各種特性処理加工等を施した素材を用いることにより、多用途な傘としての機能を持つことができる。又、傘の耐用期間終了時には一素材にて製作されているため容易に処分することが可能となり、素材の再利用も容易となる。
【図面の簡単な説明】
【００１６】
【図１】本考案の傘の実施例を示す正面図である。
【図２】本考案の傘の実施例を示す底面図である。
【図３】傘部と傘支え部との連結構造を示す概略図である。
【図４】傘部と傘支え部との連結構造を示す図３のＡ−Ａ断面図である。
【図５】（ａ）は図７のＢ−Ｂ断面図、（ｂ）は（ａ）のＣ−Ｃ断面図である。
【図６】軸柄上端の傘部と軸柄間の連結構造を示す一部断面図である
【図７】傘支え部下端の、ろくろ部と傘支え部間の連結構造を示す一部断面図である。
【符号の説明】
【００１７】  １  傘部
２  傘支え部
３  軸柄
４  ろくろ部
５  糸状又はシート状短片
【図１】
0003131197.tif 000003
【図２】
0003131197.tif 000004
【図３】
0003131197.tif 000005
【図４】
0003131197.tif 000006
【図５】
0003131197.tif 000007
【図６】
0003131197.tif 000008
【図７】
0003131197.tif 000009